(57)【要約】【課題】消音効果を有するゴルフパター練習台の提供。【解決手段】硬質のプラスチック材料から形成され、表裏面と、前後端１ａ，１ｂと、対向側縁１ｃとを有し、前記前端近傍において前記表面から前記裏面へ凹む、ホールを兼ねるボールのリターンのための少なくとも一つのボール誘導凹溝４が形成されているパター練習台１において、ボール誘導凹溝４及びそれが連通する第２ボール誘導凹溝６に植毛層５が形成されている。【選択図】図１
2007130340.tif 000002
【特許請求の範囲】
【請求項１】
硬質プラスチック材料から形成され、表裏面と、前後端と、対向側縁とを有し、前記前端近傍において前記表面から前記裏面の側へ凹む、ホールを兼ねるボールのリターンのための少なくとも一つの第１ボール誘導凹溝が形成されているパター練習台において、前記第１ボール誘導凹溝には植毛層が形成されていることを特徴とする前記パター練習台。
【請求項２】
前記第１ボール誘導凹溝は、前記前端の近傍に延びるとともに前記対向側縁の一方の近傍からその他方へ延びており、一方、ボールのリターンのための第２ボール誘導凹溝をさらに有し、前記第２ボール誘導凹溝は、前記前端と前記第１ボール誘導凹溝との間に延びるとともに前記対向側縁の前記一方における前記前端から前記対向側縁の他方に沿って前記後端まで延びていて、前記第１ボール誘導凹溝と前記対向側縁の前記他方の近傍において連通しており、前記第１ボール誘導凹溝と同様に植毛層が形成されている請求項１記載のパター練習台。
【請求項３】
前記表面は、前記前端の近傍に位置する第１領域と、前記第１領域から前記後端へ向かって下がる勾配を有する第２領域とを有する請求項１または２記載のパター練習台。
【請求項４】
前記植毛層の植毛がナイロン系の繊維であって、その繊維の繊維長が０．４〜０．６ｍｍの範囲にあり、繊度が０．０２〜０．０４ｄｔｅｘの範囲にある請求項１〜３のいずれかに記載のパター練習台。
【請求項５】
前記第１ボール誘導凹溝の底に着脱可能な発泡シートが配置されている請求項１〜４のいずれかに記載のパター練習台。
【発明の詳細な説明】
【技術分野】
【０００１】
この発明は、消音効果を有する室内用のパター練習台に関する。
【背景技術】
【０００２】
従来、プラスチック等の硬質材料から形成されたパター練習台は周知である。しかし、これらのパター練習台は、ボールをパッティングする位置からホールまでの平坦面及び登り勾配を有する傾斜面に人工芝等を接着しているものはあるが、パッティング後のボールを回収するための回収溝には、これにボールが落下し、これに沿って転動するときに発生する音への対策が施されているものはなかった。
【０００３】
特許文献１に開示されたゴルフボール回収溝は、ゴルフ場において打ち放されたゴルフボールが回収溝を直撃した場合の跳ね返りによるゴルフボールの回収率の低下を防ぐために、弾性を有する合成樹脂の吹き付け又はゴムシートを積層して形成され、ゴルフボール回収溝の少なくとも打席に対面する内側面において下方に行くにつれて薄くなる緩衝層を備えている。
【０００４】
特許文献２に開示されたゴルフ回収溝は、その回収溝の損傷、摩耗を防止するために、ポリウレタンエラストマーからなり、少なくとも回収溝の内表面に形成されている保護層を備えている。
【０００５】
特許文献１および２に開示のゴルフ回収溝は、ゴルフボールの跳ね返りや回収溝の破損を防止するために、その内面にゴムシートやポリウレタンエラストマー等の弾性部材を接着している。これらの弾性部材ではゴルフボールの衝撃力を吸収することによりボールの跳ね返りや回収溝の破損を防止することは可能であるが、その溝を転がるゴルフボールのデンプルの凹凸に応じてその表面が変形する程軟質ではないので、デンプルと弾性部材との接触摩擦による弾性部材とそれが接着された硬質部材の振動を抑えることはできず、ボールが転動するときに生じるゴロゴロという大きな音の発生を防止することはできない。
【特許文献１】特開平８−１０３５２５号公報
【特許文献２】特開平１０−２７７１９１号公報
【発明の開示】
【発明が解決しようとする課題】
【０００６】
このような硬質な部材からなるボール回収溝、特許文献１および２に記載されている弾性部材を接着したボール回収溝を有するパター練習台を使用して、夜間に室内で練習するときには、とりわけマンション等の集合住宅においては、その回収溝をボールが転動する音が家人のみならず階下の住人への騒音とならないように注意する必要があった。そこで、なるべく大きな音が出ないようにするために、ボールを弱くパットした場合には、ボールがホールまで届かず、また、力加減が不安定となるのでホールを反れる等してなかなかコントロールが定まらず、継続して有効なパッティングの練習を行うことが困難であった。
【課題を解決するための手段】
【０００７】
本発明の課題は、ゴルフボールがボール誘導凹溝を転動するときに大きな音を発生させないことによって、室内において昼夜を問わず、他人を気にせず心置きなくパッティングの練習をすることのできるパター練習台を提供することにある。
【０００８】
前記課題を解決するための本発明の前提は、硬質プラスチック材料から形成され、表裏面と、前後端と、対向側縁とを有し、前記前端近傍において前記表面から前記裏面の側へ凹む、ホールを兼ねるボールのリターンのための少なくとも一つの第１ボール誘導凹溝が形成されているパター練習台である。
【０００９】
かかる前提において、本発明の特徴は、前記第１ボール誘導凹溝には植毛層が形成されていることである。
【００１０】
本発明の実施の態様の一例としては、前記第１ボール誘導凹溝は、前記前端の近傍に延びるとともに前記対向側縁の一方の近傍からその他方へ延びており、一方、ボールのリターンのための第２ボール誘導凹溝をさらに有し、前記第２ボール誘導凹溝は、前記前端と前記第１ボール誘導凹溝との間に延びるとともに前記対向側縁の前記一方における前記前端から前記対向側縁の他方に沿って前記前端まで延びていて、前記第１ボール誘導溝と前記対向側縁の前記他方の近傍において連通しており、前記第１ボール誘導凹溝と同様に植毛層が形成されている。
【００１１】
本発明の実施の他の態様の一例としては、前記表面は、前記前端の近傍に位置する第１領域と、前記第１領域から前記後端へ向かって下がる勾配を有する第２領域とを有する。
【００１２】
また、本発明の実施の他の態様の一例としては、前記植毛がナイロン系の繊維から形成されたものであって、その繊維の繊維長が０．４〜０．６ｍｍの範囲にあり、繊度が０．０２〜０．０４ｄｔｅｘの範囲にある。
【００１３】
さらに、本発明の実施の他の態様の一例としては、前記第１ボール誘導凹溝の底に着脱可能な発泡シートが配置されている。
【発明の効果】
【００１４】
本発明にかかるパター練習台では、第１及び第２ボール誘導凹溝の内面に植毛層が形成されていることにより、硬質のウレタン等で作られているゴルフボールが第１及び第２ボール誘導凹溝を転動するときに、植毛がクッションのような機能を果して、ゴルフボールが硬質のプラスチック板面に直接接触することはなく、かつ、ゴルフボールのデンプルの凹凸に応じて植毛が変形するので、ゴルフボールと植毛とによる接触摩擦により生じる植毛されたプラスチック板面の振動が抑えられ、ボールが転動するときに生じるゴロゴロという大きな音の発生を防ぐことができる。また、ゴルフボールが直接第１及び第２ボール誘導凹溝に落下、衝突した場合であっても植毛層がゴルフボールの衝撃力を吸収し、ゴルフボールが第１及び第２ボール誘導凹溝から外に飛び出すことを防止することができる。さらに、ホールの底に発泡シートが配置されている場合には、その発泡シートがホールインしたゴルフボールの落下による衝撃力を吸収し、大きな音の発生を防ぐことができる。
【発明を実施するための最良の形態】
【００１５】
添付の図面を参照して、この発明に係るパター練習台の詳細を説明すると、以下のとおりである。
【００１６】
図１は、本発明の実施の形態におけるパター練習台１の外観斜視図である。パター練習台１は、表裏面と、前後端１ａ，１ｂと、対向側縁１ｃとを有し、第１領域（平坦面）２と、第１領域（平坦面）２から下方に向かって傾斜して前後方向に延びる第２領域（傾斜面）３と、第１領域２（平坦面）にホールを画成するための第１ボール誘導凹溝４と、第１領域（平坦面）２及び第２領域（傾斜面）３の外周の一部に設けられたゴルフボールのリターンを誘導するための第２ボール誘導凹溝６とからなるものである。第１ボール誘導凹溝４は、ホールインしたボールが第２ボール誘導凹溝６に誘導されるようにこれと連通している。第１及び第２ボール誘導凹溝４，６の内面には植毛層５が形成されており、第１領域（平坦面）２及び第２領域（傾斜面）３の縁にも現れている。
【００１７】
このようにゴルフボールが落下又は転動する第１及び第２ボール誘導凹溝に植毛層５が形成されていることによって、植毛層５がクッションの機能をして、硬質ウレタン等で形成されたゴルフボールが硬質のプラスチック板面と直接接触することはなく、かつ、ゴルフボールのデンプルの凹凸に応じて植毛層が変形するので、ゴルフボールと植毛層との接触摩擦により生じる植毛された部位のプラスチック板面の振動は抑えられ、大きな音の発生を防ぐことができる。植毛層５は、第１及び第２ボール誘導凹溝４、６の内面のみならず、第１領域（平坦面）２及び第２領域（傾斜面）３の表面全体、すなわち、パター練習台１の表面全体に接着されていてもよい。表面全体に植毛層５が形成されている場合には、ボールが傾斜面を駆け上がるとき等も含め、パッティングされたボールとプラスチック板とが直接接触することはないので、より一層音の発生を防ぐことができる。
【００１８】
パター練習台１に対する第１領域（平坦面）２、第２領域（傾斜面）３の大きさ、寸法及び傾斜面の傾斜角度等は任意のものであって、必要に応じて適宜変更することが可能である。また、このパター練習台１は、傾斜面を有さず、ボールをパットする位置からホールまでがすべて平坦なものであってもよいし、平坦面を有さず、勾配を有する傾斜面のみからなり、その傾斜面にホールが設けられたものであってもよい。また、第２ボール誘導凹溝６は、図のように第１領域（平坦面）２及び第２領域（傾斜面）３の外周の一部のみならず、その外周全てに、第１領域（平坦面）２及び第２領域（傾斜面）３を取り囲むようにして設けられていてもよい。さらに、図示してはいないが、ボールを足元に誘導するためのボール誘導板をパター練習台の後端１ｂの近傍にある第２ボール誘導凹溝６のボールのはけ口に備え付けてもよい。
【００１９】
図２、３は、それぞれ、ホールを形成する二つの穴を有するホール板７が取り外された状態のパター練習台１の外観斜視図、図２のＩＩＩ−ＩＩＩ断面図である。パター練習台１はその外周縁と第２領域（傾斜面）３の下端縁とによって支持されており、第１領域（平坦面）２及び第２領域（傾斜面）３の上方の裏面は地面に接していない。ホール板７は着脱可能であって、ホール板７を取り囲む第１領域（平坦面）２の第１ボール誘導凹溝４の上端周縁部には、ホール板７の縁と係合するための段差４１が設けられており、その段差４１には植毛層５が形成されている。このように段差４１が設けられていることによって、ホール板７を取り付けた場合にしっかりと固定され、パッティングの練習中にホール板７が外れる心配はない。また、たとえ係合部を有していても、プラスチック部材どうしでは滑りやすいので、ボールが当たった衝撃等でホール板７が外れるおそれもあるが、段差４１には植毛層５が形成されているので、より安定的に固定され、そのような場合であってもホール板７がパッド練習台１から外れるおそれはない。
【００２０】
ホール板７には二つのホール７１，７２が形成されている。ホール７１は、規格径であるが、ホール７２は規格径よりも小さいものである。このように規格径のホールとそれよりも小さいホールとを使い分けることによってより効果的なパッティングの練習が可能となる。
【００２１】
ホールの底には発泡シート８が配置されている。ゴルフボールがホールインした時には植毛層５が形成されたホールの底面は強い衝撃力を受けるので、ゴルフボールが植毛繊維を押し潰して硬質のプラスチック板面と植毛層との接着面に直接当たって大きな音を生じるおそれがある。その場合、発泡シート８が配置されていれば、それがこのようなゴルフボールの落下による強い衝撃力を吸収し、大きな音が発生しないようにすることができる。
【００２２】
図４はパター練習台１の上にパターマット９を乗せた状態の外観傾斜図である。グリーンを模した第１領域（平坦面）２及び第２領域（傾斜面）３は、実際のグリーンを想定してその表面に人工芝を用いるのが一般的であって、本件発明のパター練習台にもその第１領域（平坦面）２及び第２領域（傾斜面）３の上にその表面が人工芝であるパターマット９を乗せ、パターマット９の端にあるホール用の大小二つの穴がホール板７のホール７１，７２と合うように敷かれている。パターマット９は図のようにパター練習台の第１領域（平坦面）２及び第２領域（傾斜面）３の上に置かれていてもよいし、第１領域（平坦面）及び第２領域（傾斜面）の上に乗せずにパター練習台の後端１ｂから後方へ向かって床にパターマット９を敷いてもよい。パターマット９が第１領域（平坦面）２及び第２領域（傾斜面）３の上に敷かれている場合には、ボールが傾斜面を駆け上がるときであってもゴロゴロとボールが転がる音は発生せず、また、パターマット９がそれらの上に置かれていない場合であっても、第１領域（平坦面）２及び第２領域（傾斜面）３に植毛層５が形成されていれば、このような音の発生を防止することができる。もちろん、このようにパターマット９を使用せず、床から直接ボールをパットしてもよい。
【００２３】
以上のように実施の形態で説明した構成を有するパター練習台１以外の、一般的なパター練習台又はパター練習用のマットのみにおいても、それがパッティングしたゴルフボールを誘導するための誘導溝又は誘導路を有するものであれば、その溝又は路、或いはグリーンを模した平坦面及び傾斜面に植毛が施されていることによって本発明と同様の効果を奏するものであることはいうまでもない。
【００２４】
パター練習台１は、硬質プラスチック材料によって形成されており、真空成型又は射出成型のいずれの製法によっても製造することができる。植毛層５は、短繊維（パイル）を静電気を帯び易いように薬品処理して、接着剤をコーティングしたプラスチックにフロック加工機でパイルを植えつけるフロック加工によって形成されている。パイルはナイロン系、ポリエステル系の繊維であって、その繊維は上方に向かって垂直に延び、繊維長が０．４〜０．６ｍｍの範囲にあり、繊度が０．０２〜０．０４ｄｔｅｘの範囲にあるものが好ましい。パイルがこれ以上長すぎるもの又は太すぎるものであれば、ボールがうまく第１及び２ボール誘導凹溝４，６を転がることができず、また、これ以上短かすぎるもの又は細すぎるものである場合には、十分な消音効果を発揮することができない。パイルの色は何色でもよく、染色して適宜変更してもよい。使用する接着剤はアクリル系のほか、ゴム系、エポキシ系等の植毛の接着に一般的に使用される接着剤を使用することができる。使用する接着剤が弾性を有するものであれば、植毛層５とともにボールの転動により生じる振動を吸収することができ、より消音効果が発揮されるので好ましい。これらの接着剤をスプレーによってプラスチックに塗布することもできる。
【図面の簡単な説明】
【００２５】
【図１】パター練習台の斜視図。
【図２】ホール板７が取り外された状態のパター練習台の斜視図。
【図３】図２のＩＩＩ−ＩＩＩ線断面図。
【図４】パター練習台の上にパターマットを敷いた状態の斜視図。
【符号の説明】
【００２６】
１          パター練習台
１ａ，１ｂ  前後端
１ｃ        対向側縁
２          第１領域（平坦面）
３          第２領域（傾斜面）
４          第１ボール誘導凹溝
５          植毛層
６          第２ボール誘導凹溝
８          発泡シート
【図１】
2007130340.tif 000003
【図２】
2007130340.tif 000004
【図３】
2007130340.tif 000005
【図４】
2007130340.tif 000006